(57)【要約】      （修正有）【課題】赤ちゃんのおしゃぶりを落下・紛失することなく衛生的で安全に携帯でき、且つワンタッチで紐状体を収納できる機能的・多目的な玩具等ホルダーを提供する。【解決手段】本体部分１の内裏に巻ばねを設置し、紐状体２を巻きつけ事前に回転させて巻きを調整し巻取りスピードを緩めたリールにより紐状体２の長短調節ができ、紐状体２を引き出した時任意の長さで固定し且つワンタッチで本体部分１に収納するボタン４を本体部分１に備え、紐状体２の先端部分には柔らかく弾力性のある素材でできたフック３が設けられている。また本体部分１の背面には衣服や涎かけに装着できる挟持部が取り付けられている。また本体部分１には誤ってボタン４を押しても必要に応じて巻戻りしないようにロックレバー５が設けられている。また吊り下げて保持する物だけでなく挟んで保持するものも携帯できるよう挟持具をフック３に取外し可能に設置することができる。【選択図】図１
2013183963.tif 000002
【特許請求の範囲】
【請求項１】
ケースと、上記ケースに収納され紐状体を上記ケース本体から引出し可能に巻きつけたリールと、上記リールを常時上記紐状体を巻取る方向に付勢する付勢手段と、上記紐状体を引き出された状態に保持する保持手段と、上記保持手段の保持機能を解除する解除手段を備えたリール本体と、上記リール本体に取り付けられ衣服等に上記リール本体を保持するための挟持手段と、上記紐状体の先端部に固定され玩具等を取り外し可能に保持するための取付手段を備え、上記紐状体を引き出された状態に保持する保持手段の保持機能を誤って解除し巻き戻らないよう紐止めをする紐止め手段を備えことを特徴とする玩具等のホルダー。
【発明の詳細な説明】
【技術分野】
【０００１】
本発明は赤ちゃんの玩具やおしゃぶり等の物品等を落下・紛失することなく安全に携帯させることができる玩具等ホルダーに関するものである。
【背景技術】
【０００２】
携帯電話や鍵等いつでも身近に携帯しておきたいものを紛失することなく機能的に保持でき且つ長短調節可能でワンタッチボタンで紐状体を収納しその本体背面にクリップを備えたキーホルダーやリールストラップがある。
【０００３】
一方おしゃぶりを必要としない赤ちゃんもいれば必要とする赤ちゃんもいる。必要とする赤ちゃんにとっては寝ている時や遊んでいる時又はお出掛け時等いつでも身近にあると安心し落ち着くものである。その携帯方法は玩具等も同様で一般的に衣服等に装着できる挟持部に長さが一定の紐状体が連結され、その先端部分におしゃぶり等を吊り下げて取り付けられるフックが設けられたおしゃぶりホルダーを使用することが多く見られ、それによって落下・紛失を防止することができる。
【０００４】
又、紐状体の長さを紐状体上に設けられたホックの位置を変えることで２段階に長さを調節するものや紐状体に設けられたアジャスターを移動させて長さを調節するおしゃぶりホルダーもある。
【０００５】
また赤ちゃんの身近に紛失・落下することなく携帯しておきたいものとして帽子等がある。その携帯方法はアジャスターで長さ調節できる紐状体の両端に挟持部が設けられ一端は赤ちゃんの衣服に挟み、もう一端は帽子等に挟み紛失・落下を防ぐことができる帽子等クリップを使用することが多く見られる。またその帽子等クリップはハンドタオル等の両端に挟持部を取付けると即席の前掛けにもなり外出時等に便利である。
【先行技術文献】
【特許文献】
【０００６】
【特許文献１】登録実用新案第3002809号公報
【特許文献２】特開2000-139675号公報
【特許文献３】登録実用新案第3054682号公報
【発明の概要】
【発明が解決しようとする課題】
【０００７】
しかし前記のような長短調節可能でワンタッチボタンで紐状体を収納し本体背面にクリップを備えたキーホルダーやリールストラップでは大人が使用することが多いので赤ちゃんが携帯する際の安全面に対してあまり考えられていない。赤ちゃんが誤ってワンタッチボタンを押す場合もあり、巻き取った際紐状体の先端部分が左右に大きくぶれ赤ちゃんの顔や体にぶつかる危険性がありデリケートな赤ちゃんが使用するには不向きである。
【０００８】
一方、一般的にみられるような紐状体の長さが一定のおしゃぶりホルダーでは赤ちゃんの口からおしゃぶりが離れるとハイハイした時に紐状体が長いためおしゃぶりが床にひきずられゴミが付着したり、紐状体部分が常に外にさらされる為汚れやすくなる。また新生児や寝ている時に紐状体が首などに巻きついたりするおそれがあり衛生面や安全面に欠点がある。又、前記のような２段階の長さに調節できるおしゃぶりホルダーでは２段階しか長さのパターンがなく、紐状体を根元まで収納できるわけではないので、ある程度の長さが残りその為紐状体が汚れやすくなる。またアジャスターを移動して長さを調節するものも同様で手動でないと伸縮できないので手間がかかる。
【０００９】
また前記の帽子クリップ等は前記のおしゃぶりホルダー同様アジャスターを移動して長さを調節するので手間がかかる。
【００１０】
そこで本発明は手動によって巻き取る不便がなく、ワンタッチボタンで紐状体を自動で巻き取り、紐状体の長短調節・収納を容易にし、赤ちゃんが誤ってワンタッチボタンを押しても巻戻らないようにし又おしゃぶりや玩具等の物品を吊り下げて保持するだけでなく必要に応じて保持手段を換え帽子やタオル等の布製等も挟んで保持し携帯することができる玩具等ホルダーを提供する。
【課題を解決するための手段】
【００１１】
本発明は以上のような欠点を解決する為、請求項１の発明ではケースと上記ケースに収納され紐状体を上記ケース本体から引出し可能に巻きつけたリールと上記リールを常時上記紐状体を巻取る方向に付勢する付勢手段と上記紐状体を引き出された状態に保持する保持手段と上記保持手段の保持機能を解除する解除手段を備えたリール本体と上記リール本体に取り付けられ衣服等に上記リール本体を保持するための挟持手段と上記紐状体の先端部に固定され玩具等を取り外し可能に保持するための取付手段を備え、上記紐状体を引き出された状態に保持する保持手段の保持機能を誤って解除し巻き戻らないよう紐止めをする紐止め手段を設けた。
【００１２】
請求項２の発明では更に上記紐状体の先端部に固定され玩具等を取り外し可能に保持するための取付手段に、挟んで保持するための取外し可能な挟持具を備えるようにした。
【発明の効果】
【００１３】
請求項１の発明によれば、上記紐状体が引き出された時常時上記紐状体を巻き取る方向に付勢する力にかかわらず引き出された状態に保持する保持手段により紐状体を任意の長さで固定できるものであるから上記紐状体を片手で引き出し長さを固定させることができる。また必要に応じて固定を解除し自動的に巻き取れるものであるから上記紐状体を縮めたり上記ケース本体に収納するのが容易である。また上記紐状体を上記ケース本体に収納できるものであるから上記紐状体を汚れないよう保護し、おしゃぶり等の不使用時は携帯したままでも赤ちゃんの行動の妨げにならない。更に身体や首に巻きつかないので就寝時も上記紐状体が邪魔にならず安心して装着できる。尚赤ちゃんに携帯する時は上記ケース本体を衣服等に装着できるものであるから落下・紛失を防ぐ。また上記ボタンを押しても巻戻らないよう紐止め手段を備えたものであるから必要に応じて紐止めが可能で不本意に上記ボタンを押しても上記紐状体が巻戻らず任意の長さのまま固定することができる。また上記ボタンを不要に押したがる赤ちゃんのいたずらも防止することができ安心して赤ちゃんに携帯させることができる。
【００１４】
請求項２の発明によれば、上記フックに取外し可能な挟持具を備える事が可能にしたものであるからおしゃぶりや玩具等の物品を吊り下げて保持するだけでなく必要に応じて保持手段を換え帽子やタオル等の布製等も挟むことができ上記紐状体の全長が３５ｃｍあり長短調節が容易なので、機能的にそれぞれの用途に合った長さで使用することができる。その為携帯できる物の種類が広まる。
【図面の簡単な説明】
【００１５】
【図１】玩具等のホルダーの正面図である。
【図２】玩具等のホルダーの裏面図である。
【図３】玩具等のホルダーに挟持具を取り付けた図である。
【図４】玩具等のホルダーの分解図である。
【図５】玩具等のホルダーの軸部と巻ばねの拡大図である。
【図６】玩具等のホルダーのリールの外表の拡大図である。
【図７】玩具等のホルダーのリールの内裏の拡大図である。
【図８】玩具等のホルダーのリールに巻ばねを固定する仕組みの図である。
【図９】玩具等のホルダーのリールを設置した図である。
【図１０】玩具等のホルダーのボタンの裏面の拡大図である。
【図１１】玩具等ホルダーのボタンとリールストッパーの正面図である。
【図１２】玩具等ホルダーのリールストッパ引掛部がリールストッパを押し下げ通過している図である。
【図１３】玩具等ホルダーのリールストッパ引掛部がリールストッパにひっかかりリールが巻取り方向に付勢するのを止めている図である。
【図１４】玩具等ホルダーのボタンを押すとリールストッパ引掛部が押し下がりリールストッパにひっかからずリールが巻取り方向に付勢しようとする図である。
【図１５】玩具等ホルダーのフックの詳細図である。
【図１６】玩具等ホルダーのフックがおしゃぶりを吊り下げている図である。
【図１７】玩具等ホルダーの側面図である。
【図１８】玩具等ホルダーのロックレバーの詳細図である。
【図１９】玩具等ホルダーのスライド用穴の拡大図である。
【図２０】玩具等ホルダーのスライド用穴上をロックレバーが上下にスライドする仕組みの図である。
【図２１】玩具等ホルダーの紐状体が押圧具によって固定されている図である。
【図２２】玩具等のホルダーの裏面の分解斜視図である。
【図２３】玩具等のホルダーの挟持部の詳細図である。
【図２４】玩具等ホルダーのフックに挟時具を取付けた図である。
【発明を実施するための形態】
【００１６】
以下本発明を実施するための最良の形態について説明する。図1において、１は本体部分、２は長短調節可能な紐状体、３は紐状体の先端に設けられ、おしゃぶり等を取付可能なフック、４は紐状体２を巻き取る方向に付勢する力を食い止め固定しワンタッチでその固定を解除するボタン、５は誤って解除ボタンを押しても巻戻りしないよう巻き戻し止めをするロックレバー、６はロックレバー５がスライドするスライド用穴である。図２は本体１の裏側を示すもので、７は衣服等に本体１を取り付けるための挟持部材である。また図３に示すように、挟持具８をフック３に取外し可能に設置することにより吊り下げて保持する物だけでなく挟んで保持するものも紐状体２の先端部で保持して携帯できる。
【００１７】
図４は本体部分１の内部構造を詳細に説明したものである。図４において９は表ケース、１０は裏ケースで、本体部分１は表ケース９と裏ケース１０からなる。１１は裏ケース１０に一体に設けられた筒状軸で、切り込み１２が形成されている。１３は巻バネ、１４はリール、１５は紐状体引掛け部で紐状体引掛部１５に紐状体２の端を引っ掛け紐状体２をリール１４の外周に巻回している。
【００１８】
図５を用いて筒状軸１１と切り込み１２と巻バネ１３の関係を説明する。図５に示すように筒状軸１１に設けられた切り込み１２に巻バネ１３の内端を係止している。
【００１９】
次に図６、図７を用いてリール１４について説明する。リール１４の断面はＨ型になっており、図６はリール１４の外側を、図７はリール１４の内側をそれぞれ示している。図６に示すようにリール１４には中心穴１６、切り込み１７、１８が設けられている。図７に示すようにリール１４の内側には巻バネ１３を収容するための空間があり、中心穴１６に、切り込み１２に巻バネ１３の内端を係止した筒状軸１１を貫通させて巻バネ１３がリール１４の内側にある空間にはまり、リール１４が筒状軸１１を軸として回転自在に構成されている。
【００２０】
次に図８を用いて巻バネ１３がリール１４の内側に設置された様子を説明する。図８に示すようリール１４の内側にはリール１４を巻取り方向に付勢する巻バネ１３が内蔵されており、巻バネ１３の外端が切り込み１７を通りリール１４の側面の外を通り切り込み１８を通り再びリール１４の側面の内へ戻り側壁の内側に当たる状態になっている。それにより巻バネ１３はリール１４の内側の空間に固定される。紐状体２はリール１４に巻かれており巻取るためのエネルギーは紐状体２を引き出すとより大きくなり巻バネ１３に蓄積される。尚初期設定の巻取力は、次のように調整する。内側に巻バネ１３を内蔵したリール１４を裏ケース１０にセットするときにリール１４を巻取り方向に巻いておく。巻バネ１３の巻数が多いほど巻取り力が強くなり、巻数が少ないほど巻取り力が弱くなる。この時おしゃぶり等を吊り下げても根元まで巻取れ且つゆっくり巻戻るように巻取り力を調整する。
【００２１】
次に図９を用いて各部品がケース内に設置されている様子を説明する。図９において、１９はボタン用バネ、２０はボタン用穴で、裏ケース１０に形成された筒状軸１１の切り込み１２に巻バネ１３の内端を係止し、その上に紐状体２を巻回したにリール１４を中心穴１６に筒状軸１１を貫通させて筒状軸１１に回転自在に取り付け、筒状軸１１の空洞部分にボタン用バネ１９を設置する。その時ボタン用バネ１９は、筒状軸１１の切り込み１２に巻バネ１３の内端を係止した状態で設置するため筒状軸１１から少しボタン用バネ１９の上部がはみ出る。その上にボタン４を設置し、さらにその上から,中心にボタン用穴２０を設けた表ケース９を被せることでボタン４が固定され、またボタン用バネ１９によりボタン４が外側に押し戻される。尚ボタン４の裏側は図１０に示すように空洞になっている。すなわち２１は空洞で、ボタン４の裏に設けられ筒状軸１１の先端部がはまるような形状になっている。
【００２２】
ボタン４の表側を図１１を用いて説明する。図１１に示すように２２は表ケース止め、２３はリールストッパーで、表ケース止め２２は、表ケース９に設けられた中心穴１６にボタン４がはまるように表ケースを被せた時にボタン４が中心穴１６から脱出しないように表ケース９を支える。またリールストッパー２３はボタン４の両側に設けられており、その形状は幅の狭い先端部２３Ａと、幅の広い基底部２３Ｂを持つ、台形柱又は三角柱を横に倒した形状になっており、たがいに回転対称の関係に設けられている。
【００２３】
図１２を用いて紐状体２を引き出した時のリール１４及びボタン４の様子を説明する。図１２に示すように２４はリールストッパー引掛部で、リール１４の側壁に相対向するように設けられている。紐状体２を引き出すとリール１４が反時計周りに回転し、リール１４内に設けられたリールストッパー引掛部２４はリールストッパー２３を押し下げられながら通過する。この時リールストッパー２３の形状が薄い三角柱又は台形柱になっており先端部２３Ａからリールストッパー引掛部２４の下を通過する為スムーズに押し下げられて通過する事ができる。
【００２４】
次に図１３を用いて紐状体２が任意の長さに固定された時のリール１４及びボタン４の様子を説明する。図１３に示すように紐状体２の引き出しを止めるとリール１４は巻取り方向に付勢されているので今度は時計周りに回転し,リールストッパー引掛部２４がリールストッパー２３に引っかかる。この時リールストッパー２３の形状が台形柱になっているので、幅の広い基底部２３Ｂが、リールストッパー引掛部２４に当たるため、リールが巻取り方向に回転するのを止める事が出来、それにより紐状体２を任意の長さに固定することができる。
【００２５】
次に図１４を用いてボタン４を押したときのリール１４及びボタン４の様子を説明する。図１４に示すようにボタン４を矢印方向に押すと、リールストッパー２３も押し下がるため、リールストッパー２３はリールストッパー引掛部２４に当接しなくなるので、その蓄積された巻取り方向に付勢するエネルギーが開放され紐状体２が自動的に巻き取られ長さを縮め、自動的に収納される。また紐状体２は全長３５ｃｍの丈夫で汚れにくく巻き取りやすい素材を使用するのが好ましく、その先端には柔らかく弾力性のある素材を用いたフック３が設けられている。
【００２６】
図１５を用いてフック３を詳細に説明する。図１５において、２５は連結用穴、２６は突起、２７は穴であり、紐状体２の先端を連結用穴２５に貫通させてから固定し、紐状体２とフック３を連結させている。
【００２７】
図１６を用いてフック３におしゃぶりを吊るした様子を説明する。図１６に示すようにフック３におしゃぶり１００を引掛け、穴２７に突起２６を貫通させるとおしゃぶり１００が保持できる。
【００２８】
次に図１７を用いて本体部分１の側面の様子を説明する。図１７において、２８は本体１に設けられた開口部で、開口部２８から紐状体２が引き出される。開口部２８の下部にスライド用穴６が設けられその内側に図１８に示すロックレバー５を設置する。図１８において、２９はつまみボタン、３０はつまみ軸、３２は湾曲板で、３１は湾曲板３２の上端に設けられた押圧具である。
【００２９】
次に図１９を用いてスライド用穴６の形状について説明する。図１９において、３３は上部くびれ部、３４は下部くびれ部で、スライド用穴６の上端部、下端部にそれぞれ設けられており、つまみ軸３０が上部くびれ部３３を通過する時はやや強い力でつまみボタン２９を押し上げるとつまみ軸３０が上部くびれ部３３を通過する。一旦つまみ軸３０が上部くびれ部３３を通過すると上部くびれ部３３に引っかかり自然に下がって来ることは不可能なので、つまみ軸３０を固定することができる。
【００３０】
次に図２０を用いてロックレバー５がスライド用穴６を上下にスライドする仕組みを説明する。図２０において、３５はロックレバー支持部材で、本体ケースの１の側面に沿って、ロックレバー５をスライド可能に支持するよう設けられている。３６は押圧具ストッパーである。湾曲板３２上に設けられたつまみ軸３０を裏ケース１０に形成されたスライド用穴６に貫通させ、スライド用穴６上を移動可能に設置するとともに、つまみ軸３０上部に、スライド用穴６の表面側に露出するようにつまみボタン２９を設けることにより、つまみ軸３０がスライド用穴６上から外れないように構成されている。このようにして、スライド用穴６に沿ってロックレバー５が上下にスライドする。またロックレバー支持部材３５が湾曲板３２を支えている為安定した軌道でロックレバー５を上下に移動させることができる。またつまみボタン２９を指で押し上げロックレバー５を上に移動させた時押圧具３１が押圧具ストッパー３６で止められる。
【００３１】
図２１を用いて紐状体２がロックレバー５によって固定される様子を説明する。図２１に示すようにロックレバー５を上に移動させた時滑りにくい素材を施した押圧具３１と押圧具ストッパー３６とに紐状体２が挟まれ、またこの時つまみ軸３０が上部くびれ部３３を通過しているのでつまみ軸３０が固定されロックレバー５が自然に下がって来ることは不可能なので紐状体２を固定することができる。ロックレバー５を下方向に移動すると固定が解除される。尚下部くびれ部３４も同様につまみ軸３０を固定するものであるが、下部くびれ部３４はロックレバー５のロック機能が働かない状態で、つまみ軸３０すなわちロックレバー５を動かないようにするためのものである。
【００３２】
次に図２２を用いて裏ケース１０の背面の様子を説明する。図２２に示すように裏ケース１０の背面には挟持部材７を支持する軸受部材３７が設けられている。３８は軸受部材３７に開けられた穴、３９は挟持部材７の中央部の両側部に設けられた突起、４０は挟持部材７の先端に設けられた爪部、４１は挟持用バネ、４２は滑り止め用突起である。挟持用バネ４１を挟持部材７と二つの軸部３７の間に挟み、両側の突起３９をそれぞれ対応する軸部受部材３７の穴３８にはめ込むと挟持部材７が軸受部材３７を中心にシーソー回転に固定でき、バネの反発力で丁度洗濯バサミのようになり衣服に挟むことができる。その際爪部４０が滑り止め用突起４２とかみ合い衣服等から滑らずに装着することができる。      
【００３３】
図２３を用いて挟持部材７の裏面を説明する。図２３において４３はバネ固定具であり挟持部材７の裏面に一体に設けられており、挟持用バネ４１を挟持部材７と裏ケース１０の間にずれないように固定する。
【００３４】
次に図２４を用いてフック３に通常の洗濯挟みと同様の構造を持つ挟持具８取付けた状態を説明する。図２４において４４は挟持具８の把持部の一端に設けられた貫通部で、フック３の最大幅に合わせており、そこにフック３を貫通可能にし、挟持具８を取外し可能にしている。本発明は必ずしもこれらの実施例構造のみに限定されるものではなく、本発明の構成要件を備え、かつ本発明の目的を達成し上述の効果を奏する範囲内において適宜改変して実施できるものである。
【００３５】
以下本発明のホルダーの使い方について説明する。本発明のホルダーのフック３におしゃぶりや玩具等の赤ちゃんに身近な小物をフック３に吊り下げ、挟持部材７により本体１を赤ちゃんの衣服等に取り付ける。それにより紛失・落下することなくおしゃぶりや玩具等を携帯することができる。
【００３６】
また赤ちゃんのハイハイ時や就寝時等は紐状体２を短くしたり、本体部分１に収納し衛生的に且つ安全に携帯できる。すなわち紐状２は、本体部分１にあるボタン４を押すと自動で巻戻るので長さの調節が容易にできる。巻戻る際はゆっくり巻戻るので大きく左右にぶれずに巻き戻せるので赤ちゃんに携帯させたままでもワンタッチで巻き戻せる。
【００３７】
また布製の物を挟める挟持具８を取付可能なので紐状体２の全長を３５ｃｍ程度にすると布製の物を挟める挟持具８を取付可能なので多様な用途で使用できる。例えば紐状体２を長くして挟持具８を取付け、ハンドタオルなどの両端に挟持部材７と挟持具８にを取付けると即席の涎かけ又はエプロンになる。
【００３８】
また紐状体２の長さをロックレバー５により固定できるので誤って４のボタンを押してもロックされているので巻戻ることなく使用することができるので赤ちゃんのいたずら防止になる。
【符号の説明】
【００３９】
１  本体部分
２  紐状体
３  フック
４  ボタン
５  ロックレバー
６  スライド用穴
７  挟持部材
８  挟持具
９  表ケース
１０  裏ケース
１１  筒状軸
１２  切り込み
１３  巻バネ
１４  リール
１５  紐状体引掛部
１６  中心穴
１７  切り込み
１８  切り込み
１９  ボタン用バネ
２０  ボタン用穴
２１  空洞
２２  表ケース止め
２３  リールストッパー
２４  リールストッパー引掛部
２５  連結用穴
２６  突起
２７  穴
２８  開口部
２９  つまみボタン
３０  つまみ軸
３１  押圧具
３２  湾曲板
３３  上部くびれ部
３４  下部くびれ部
３５  ロックレバー支持部材
３６  押圧具ストッパー
３７  軸受部材
３８  穴
３９  突起
４０  爪部
４１  挟持用バネ
４２  滑り止め用突起
４３  バネ固定具  
４４  貫通部
【図１】
2013183963.tif 000003
【図２】
2013183963.tif 000004
【図３】
2013183963.tif 000005
【図４】
2013183963.tif 000006
【図５】
2013183963.tif 000007
【図６】
2013183963.tif 000008
【図７】
2013183963.tif 000009
【図８】
2013183963.tif 000010
【図９】
2013183963.tif 000011
【図１０】
2013183963.tif 000012
【図１１】
2013183963.tif 000013
【図１２】
2013183963.tif 000014
【図１３】
2013183963.tif 000015
【図１４】
2013183963.tif 000016
【図１５】
2013183963.tif 000017
【図１６】
2013183963.tif 000018
【図１７】
2013183963.tif 000019
【図１８】
2013183963.tif 000020
【図１９】
2013183963.tif 000021
【図２０】
2013183963.tif 000022
【図２１】
2013183963.tif 000023
【図２２】
2013183963.tif 000024
【図２３】
2013183963.tif 000025
【図２４】
2013183963.tif 000026
【手続補正書】
【提出日】平成24年7月4日(2012.7.4)
【手続補正１】
【補正対象書類名】特許請求の範囲
【補正対象項目名】全文
【補正方法】変更
【補正の内容】
【特許請求の範囲】
【請求項１】
ケースと、
上記ケースに収納され紐状体と、
上記紐状体を上記ケース本体から引出し可能に巻きつけたリールと、
上記リールを常時上記紐状体を巻取る方向に付勢する付勢手段と、
上記紐状体を引き出された状態に保持するために上記リールの巻取り方向に回転するのを止める保持手段と、
上記保持手段の保持機能を解除する解除手段を備えたリール本体と、
上記リール本体に取り付けられ衣服等に上記リール本体を保持するための挟持手段と、
上記紐状体の先端部に固定され玩具等を取り外し可能に保持するための取付手段と、
上記紐状体を引き出された状態に保持する上記保持手段の保持機能を誤って解除した場合でも上記紐状体が巻き戻らないよう、上記ケースの側面に沿ってロックレバーをスライドさせることにより上記紐状体が該ロックレバーの押圧具と上記ケースの内壁に設けられた押圧具との間に挟まれて固定され紐止めし得る紐止め手段と、
を備え、
上記保持手段に加えて上記紐止め手段を備えることにより、
上記保持手段の保持機能を誤って解除した場合の安全性を向上させたことを特徴とする玩具等のホルダー。
【手続補正２】
【補正対象書類名】明細書
【補正対象項目名】００１２
【補正方法】変更
【補正の内容】
【００１２】
更に上記紐状体の先端部に固定され玩具等を取り外し可能に保持するための取付手段に、挟んで保持するための取外し可能な挟持具を備えるようにした。
【手続補正３】
【補正対象書類名】明細書
【補正対象項目名】００１４
【補正方法】変更
【補正の内容】
【００１４】
上記フックに取外し可能な挟持具を備える事が可能にしたものであるからおしゃぶりや玩具等の物品を吊り下げて保持するだけでなく必要に応じて保持手段を換え帽子やタオル等の布製等も挟むことができ上記紐状体の全長が３５ｃｍあり長短調節が容易なので、機能的にそれぞれの用途に合った長さで使用することができる。その為携帯できる物の種類が広まる。